(57)【特許請求の範囲】
【請求項１】
遊技球の揚送方向に移動する揚送ベルトと、前記揚送ベルトに対向する揚送位置を通るように配置された研磨ベルトとの間に前記遊技球を挟み、前記遊技球を前記研磨ベルトで研磨しつつ、前記揚送方向に揚送する揚送装置と、
前記揚送装置によって揚送された遊技球を貯留するタンクと、
前記タンクに貯留されている玉を遊技機へ供給するための供給手段と、
備える遊技島の遊技島システムにおいて、
前記揚送位置にある前記研磨ベルトの一部が未使用の状態となるように、前記研磨ベルトを移動させる予定移動量を設定する移動量設定手段と、
前記揚送装置による遊技球の揚送を停止させた後に、前記移動量設定手段で設定された前記予定移動量分、前記研磨ベルトを移動させる研磨ベルト移動制御手段と、
前記タンクに貯留されている遊技球の貯留量を検出する検出手段と、
前記検出手段が検出した前記貯留量が、予め設定された第１貯留量以下である場合、前記研磨ベルト移動制御手段による制御を中止させる中止手段と、
を備えることを特徴とする遊技島システム。
【請求項２】
請求項１に記載の遊技島システムにおいて、
前記検出手段が検出した前記貯留量が、前記第１貯留量よりも多い第２貯留量以下である場合は、前記研磨ベルト移動制御手段による制御の開始を許さない開始不許可手段
を備えることを特徴とする遊技島システム。
【請求項３】
前記請求項１、２何れかに記載の遊技島システムにおいて、
前記中止手段によって前記研磨ベルトの移動が中止されるまでに前記研磨ベルト移動制御手段によって移動された前記研磨ベルトの既移動量を算出する研磨ベルト移動量算出手段と、
前記予定移動量から前記既移動量を差し引いた前記研磨ベルトの残移動量を設定する残移動量設定手段と
を備え、
研磨ベルト移動制御手段は、
前記中止手段によって前記研磨ベルトの移動を中止させた後、再度前記検出手段が検出した前記貯留量が、前記第１貯留量よりも多い第２貯留量以上になったとき、前記残移動量分の前記研磨ベルトの移動を行うことを特徴とする遊技島システム。
【発明の詳細な説明】
【技術分野】
【０００１】
本発明は、揚送した遊技球が不足しないように揚送装置の研磨ベルトの巻き取りを行う遊技島システムに関する。
【背景技術】
【０００２】
従来より、遊技島には、この遊技島が備える各遊技機で使用された遊技球を回収し、その回収した遊技球を揚送し、この揚送した遊技球を再び各遊技機に供給することによって、遊技球を遊技島内で循環させるシステムが採用されている。そして、このシステムを実現するため、遊技島には回収された遊技球を揚送する揚送装置が備えられている。
【０００３】
この揚送装置は、遊技球を揚送する揚送ベルトと、遊技球についた汚れを落とす研磨ベルトとを備え、揚送ベルトと研磨ベルトとの間に遊技球を挟んで揚送するとともに、遊技球を研磨ベルトで磨く構造を有している。
【０００４】
そのようなシステムを用いて遊技球を循環させながら営業を行っていると、研磨ベルトは遊技客の手垢や、タバコのヤニ等が付着した遊技球を常時磨いていることになり、営業時間が経過するにつれ研磨ベルト自体が汚れていき、最終的には遊技球についた汚れを落とすことができなくなってしまうおそれがある。
【０００５】
従って、揚送装置は、研磨に使用した使用済みの研磨ベルトを移動させ、未使用の研磨ベルトが使用面（揚送ベルトと対面する位置）に来るようにする研磨ベルト移動手段を備えている。
【０００６】
そして、研磨ベルト移動手段による研磨ベルトの移動時には、揚送されている玉からの圧力によって研磨ベルトを適切に移動させることができないといった事態を防ぐために、営業中であったとしても揚送ベルトによる遊技球の揚送を停止して、研磨ベルトを移動していた。
【発明の概要】
【発明が解決しようとする課題】
【０００７】
しかし、遊技球の揚送を停止している間であっても、各遊技機では遊技球が使用されていることから、各遊技機で遊技球が不足してしまう可能性があった。
そこで本発明では、上述した問題点を解決し、各遊技機において遊技球を不足させることなく研磨ベルトを移動することができる遊技島システムを提供することを目的とする。
【課題を解決するための手段】
【０００８】
（１）上述した問題を解決するためになされた発明である請求項１に記載された遊技島システムは、
遊技球の揚送方向に移動する揚送ベルトと、前記揚送ベルトに対向する揚送位置を通るように配置された研磨ベルトとの間に前記遊技球を挟み、前記遊技球を前記研磨ベルトで研磨しつつ、前記揚送方向に揚送する揚送装置と、
前記揚送装置によって揚送された遊技球を貯留するタンクと、
前記タンクに貯留されている玉を遊技機へ供給するための供給手段と、
備える遊技島の遊技島システムにおいて、
前記揚送位置にある前記研磨ベルトの一部が未使用の状態となるように、前記研磨ベルトを移動させる予定移動量を設定する移動量設定手段と、
前記揚送装置による遊技球の揚送を停止させた後に、前記移動量設定手段で設定された
前記予定移動量分、前記研磨ベルトを移動させる研磨ベルト移動制御手段と、
前記タンクに貯留されている遊技球の貯留量を検出する検出手段と、
前記検出手段が検出した前記貯留量が、予め設定された第１貯留量以下である場合、前記研磨ベルト移動制御手段による制御を中止させる中止手段と、
を備えることを特徴とする。
【０００９】
この遊技島システムによると、タンクに貯留されている遊技球の貯留量が、各遊技機で遊技球が不足しない第１貯留量より多い場合にのみ研磨ベルトの移動を行っているので、この遊技島システムを用いると、各遊技機において遊技球を不足させることなく研磨ベルトの移動を行うことができる。
【００１０】
また、現在、揚送装置を備える遊技島には、上述したタンク（いわゆる上部タンク）と、供給手段とを備えることが多いので、この遊技島システムは、現在用いられている遊技島に容易に適用することができる。
【００１１】
尚、研磨ベルトの移動とは、研磨ベルトを移動し、揚送位置にある研磨ベルトの一部を未使用のものにすることを言う。
（２）ところで、請求項１に記載された遊技島システムでは、揚送した遊技球の量が第１貯留量に近い量だと、研磨ベルトの移動が開始された瞬間に、揚送した遊技球の量が第１貯留量を下回って、研磨ベルトの移動が途中で禁止されてしまう可能性がある。
【００１２】
このように、研磨ベルトの移動が途中で禁止されてしまうと、後に行われる研磨ベルトの移動のときに、本来移動しなくてもよい研磨ベルトまで移動せねばならないことがあり、資源の無駄となっていた。
【００１３】
そこで、請求項２に記載した遊技島システムのように、請求項１に記載の遊技島システムにおいて、
前記検出手段が検出した前記貯留量が、前記第１貯留量よりも多い第２貯留量以下である場合は、前記研磨ベルト移動制御手段による制御の開始を許さない開始不許可手段
を備えるようにしてもよい。
【００１４】
このようにすると、各遊技機への供給量としては十分な量の遊技球が揚送されたときにのみ研磨ベルトの移動が開始されるので、研磨ベルトの移動途中に遊技球を揚送せねばならなくなることがない。
【００１５】
従って、この遊技島システムを用いると、本来移動しなくてもよい研磨ベルトの無駄な移動が行われることを防止することができる。
尚、第２貯留量としては、研磨ベルトを移動している間に、揚送装置で揚送した遊技球を、供給する対象となっている各遊技機に遊技球を供給し続けても、第１貯留量に達しない量であることが好ましい。
（３）請求項３に記載の遊技島システムは、前記請求項１、２何れかに記載の遊技島システムにおいて、
前記中止手段によって前記研磨ベルトの移動が中止されるまでに前記研磨ベルト移動制御手段によって移動された前記研磨ベルトの既移動量を算出する研磨ベルト移動量算出手段と、
前記予定移動量から前記既移動量を差し引いた前記研磨ベルトの残移動量を設定する残移動量設定手段と
を備え、
研磨ベルト移動制御手段は、
前記中止手段によって前記研磨ベルトの移動を中止させた後、再度前記検出手段が検出した前記貯留量が、前記第１貯留量よりも多い第２貯留量以上になったとき、前記残移動量分の前記研磨ベルトの移動を行うことを特徴とする。
【００１６】
これによると、研磨ベルトを予定移動量分だけ移動できないときに移動を中止したとしても、再度研磨ベルトの移動を行う際、予定移動量から既移動量を差し引いた残移動量だけ研磨ベルトを移動させることが出来るため、研磨ベルトの移動を途中で中止した後に研磨ベルトの移動を行う際、再び最初から予定移動量分の研磨ベルトの移動を行って、移動の必要のない研磨ベルトを移動させてしまうことなく、移動途中に移動を中止せざるをえなくなっても、予定移動量分の研磨ベルトを正確に移動させることができる。
【図面の簡単な説明】
【００１７】
【図１】本実施形態の遊技島システムが適用された遊技島１の構造図であり、特に、遊技機から遊技球を回収し、この回収した遊技球を揚送装置で揚送し、その揚送した遊技球を遊技機に送る構造を示している。
【図２】図１のうち、揚送装置が設置された部分を拡大した遊技島１の構造図である。
【図３】揚送装置の構造を簡略化して示した構造図で、特に、遊技球を揚送する構造、及び、研磨ベルトを巻き取る構造を示している。
【図４】遊技島の内部構造のブロック図である。
【図５】リモコン９の正面図で、揚送装置の長さを設定するときの様子を説明する説明図である。
【図６】リモコン９の正面図で、研磨ベルト５６を巻き取る範囲を設定するときの様子を説明する説明図である。
【図７】リモコン９の正面図で、研磨ベルト５６を巻き取る時間を設定するときの様子を説明する説明図である。
【図８】リモコン９の正面図で、設定された情報を送信するときの様子を説明する説明図である。
【図９】メイン処理のフローチャートである。
【図１０】設定処理のフローチャートである。
【図１１】研磨ベルト回収処理のフローチャートである。
【図１２】動作制御処理のフローチャートである。
【発明を実施するための形態】
【００１８】
以下、本発明が適用された実施形態について図面を用いて説明する。
１．遊技島
本実施形態の遊技島システムが適用された遊技島１には、長手方向に沿った側面に、遊技機（例えば、パチンコ機）を設置する複数の設置スペース１ａが形成されている。
【００１９】
各設置スペース１ａの下端には、各遊技機で使用されたアウト玉（例えば、パチンコ機での遊技に使用されたパチンコ球）を回収する回収装置１０が設置され、この回収装置１０の下方の遊技島１内には、その回収装置１０によって回収された遊技球を、遊技島１の長手方向中央側に送る回収樋１１が設置されている。
【００２０】
遊技島１の長手方向の中央には、この回収樋１１によって回収されたパチンコ球を揚送する揚送装置３が設置されており、この揚送装置３が設置された付近の遊技島１の上部には、この揚送装置３で揚送された遊技球を貯留する上部タンク１５が設置されている。
【００２１】
一方、回収樋１１の長手方向の両端のうち揚送装置３側の端部には、回収した遊技球を貯留する下部タンク１６が設置され、この下部タンク１６と揚送装置３との間には、下部タンク１６に貯留された遊技球を揚送装置３に導く導入樋１７が設置されている。
【００２２】
各設置スペース１ａの上方の遊技島１内には、上部タンク１５に貯留されたパチンコ球を各設置スペース１ａに配送するための配送樋１２が設置されている。
配送樋１２には、各設置スペース１ａの上方部分に分岐装置１３が設置されている。この分岐装置１３は、遊技機で遊技球が不足した場合、配送樋１２を流下するパチンコ球の流下ルートを、配送樋１２に沿った方向から、各設置スペース１ａに設置された遊技機側を向く方向に変更する装置である。
【００２３】
そして、各分岐装置１３から各設置スペース１ａには、分岐装置１３による流下ルートの変更によって遊技機側に導かれた遊技球を、分岐装置１３から各設置スペース１ａに設置された遊技機まで導く配送管１４が設けられている。
【００２４】
尚、図１では、設置スペース１ａ、回収装置１０、分岐装置１３及び配送管１４については、遊技島１の右端のものしか符合を示していないが、その他の設置スペース１ａ、回収装置１０、分岐装置１３及び配送管１４の符合は、図面の理解の容易のために省略したもので、これらと同様の構成は、遊技島１の右端のものと同様の構成であることは言うまでもない。
２．揚送装置
揚送装置３は、図２に示すように、上下方向に長尺な構造を有しており、導入樋１７を介して遊技球を下端側に取り込み、これを上方側に揚送して、上部に設けられた排出口３０から上部タンク１５内に揚送した遊技球を排出できるよう構成されている。
【００２５】
この揚送装置３の内部構造について、図３を用いて、簡単に説明する。
この揚送装置３は、揚送部４と、研磨部５とを備えている。
揚送部４は、下方に設置された駆動プーリ４０と、上方に設置された従動プーリ４１とを備えており、これら各プーリ４０，４１とに無端ベルトである揚送ベルト４２が掛け渡されている。
【００２６】
研磨部５は、上下に設置された従動プーリ５０，５１と、未使用の研磨ベルト５６が巻かれた引出ローラ５２と、使用済みの研磨ベルト５６を巻き取る巻取ローラ５３とを備えている。
【００２７】
また、研磨部５は、従動プーリ５０と引出ローラ５２との中間の上方位置にテンションローラ５４を備え、さらに、従動プーリ５１と巻取ローラ５３との間の位置であって、巻取ローラ５３よりの位置にも、テンションローラ５５を備えている。
【００２８】
そして、この研磨部５では、研磨ベルト５６が、引出ローラ５２から引き出されて、テンションローラ５４、従動プーリ５０、従動プーリ５１、テンションローラ５５の順で、巻取ローラ５３まで掛け渡されている。
【００２９】
また、この揚送装置３では、従動プーリ５０，５１との間に張られた研磨ベルト５６と、駆動プーリ４０及び従動プーリ４１との間に張られた揚送ベルト４２のうち研磨ベルト５６に対向する側のベルトとが、遊技球を挟み込むことができる間隔をあけて配置されるように、各プーリ４０、４１、５０、５１が配置される。
【００３０】
以上のように構成された揚送装置３は、次のように動作する。
揚送部４では、揚送ベルトモータ４２０（図４参照）によって駆動プーリ４０に駆動力を与えると駆動プーリ４０が回転し、この駆動プーリ４０から駆動力を受けた揚送ベルト４２は従動プーリ４１を回転させながら回転する。
【００３１】
一方、研磨部５では、引出ローラ５２及び巻取ローラ５３にはブレーキ５２０，５３０（図４参照）が備えられており、また、テンションローラ５４，５５は、引出ローラ５２と巻取ローラ５３との間に設置された研磨ベルト５６を張る方向に移動可能に構成されている。そのため、引出ローラ５２及び巻取ローラ５３にブレーキ５２０，５３０をかけると、揚送ベルト４２に対向する揚送位置に配置された研磨ベルト５６が従動プーリ５０，５１との間で緊張した状態で固定される。
【００３２】
そして、このように研磨ベルト５６を固定し、この研磨ベルト５６に対向する側の揚送ベルト４２が下方から上方の移動するように回転させると、揚送装置３の下端に導かれた遊技球が、揚送ベルト４２と研磨ベルト５６との間に挟まれ、下方から上方に向かう方向（以下「揚送方向」という）に揚送される。このとき、遊技球は研磨ベルト５６に接触した状態で揚送されるので、研磨ベルト５６によって研磨される。そして、揚送ベルト４２の上端まで遊技球が揚送されると、その研磨された遊技球が、排出口３０（図２参照）から排出されて上部タンク１５内に貯留される。
【００３３】
研磨部５では、巻取ローラ５３が、研磨ベルトモータ５６０（図４参照）によって駆動力を与えられると、研磨ベルト５６を巻き取る方向に回転可能に構成されている。
一方、研磨ベルト５６は、引出ローラ５２から引き出されて、揚送ベルト４２に対向する揚送位置を介して巻取ローラ５３まで案内されている。
【００３４】
そのため、研磨ベルトモータ５６０を駆動して巻取ローラ５３を回転させると、揚送位置にあって研磨に利用された使用済みの研磨ベルト５６が巻取ローラ５３に巻き取られるとともに、引出ローラ５２から未使用の研磨ベルト５６が揚送位置まで引き出され、揚送位置に位置する研磨ベルト５６を使用済みのものから未使用のものに置き換えられる。
３．制御系の構造
本実施形態の遊技島１は、揚送装置３その他の装置を制御するコントロールボックス６を備えている。
【００３５】
このコントロールボックス６は、図４に示すように、中央制御装置６０と、この中央制御装置６０に通信可能に接続された揚送ベルト基板６１、研磨ベルト基板６２、導入樋シャッター基板６３、リモコン用インタフェイス６４、センサ用インターフェイス基板６５、供給装置基板６６、引出ローラブレーキ基板６７、巻取ローラブレーキ基板６８を備えている。
【００３６】
中央制御装置６０は、ＣＰＵ、ＲＯＭ、ＲＡＭその他の装置を備えるコンピュータ装置で、後述する各種処理を実行する。
揚送ベルト基板６１は、中央制御装置６０からの指示を受けて、駆動プーリ４０を介して揚送ベルト４２に駆動力を与える揚送ベルトモータ４２０を制御するための基板である。
【００３７】
研磨ベルト基板６２は、中央制御装置６０からの指示を受けて、研磨ベルト５６を巻き取るために巻取ローラ５３に駆動力を与える研磨ベルトモータ５６０を制御するための基板である。
【００３８】
導入樋シャッター基板６３は、中央制御装置６０からの指示を受けて、導入樋１７に設置された図示しない導入樋シャッターの開閉を行うシャッターモータ１７０を制御するための基板である。この導入樋シャッターは、具体的には、導入樋１７から揚送ベルト４２の下端部分に進入しようとする遊技球の侵入を防止するシャッターである。
【００３９】
リモコン用インターフェイス６４は、無線により、リモコン９と通信するためのインターフェイスで、リモコン９から受信した信号を、中央制御装置６０に出力する装置である。中央制御装置６０は、このリモコン用インターフェイス６４を介してリモコン９から受けた指示により各種処理を実行する。
【００４０】
センサ用インターフェイス６５は、上部タンク１５に取り付けられた第１センサ１５０と第２センサ１５１から、検出信号を入力し、その入力した信号を中央制御装置６０に出力する装置である。
【００４１】
第１センサ１５０は、揚送装置３で揚送し、上部タンク１５に貯留された遊技球の揚送量が、遊技島１が備える各遊技機への遊技球の供給に必要な予め設定された第１貯留量に達しているか否かを検出するセンサである。
【００４２】
第２センサ１５１は、揚送装置３で揚送し、上部タンク１５に貯留された遊技球の揚送量が、第１貯留量よりも多い予め設定された第２貯留量よりも多いか否かを検出するものである。
【００４３】
中央制御装置６０は、これら各センサ１５０，１５１からの入力された検出信号に基づいて、後述する各種処理を実行する。
供給装置基板６６は、上部タンク１５に貯留された遊技球を配送樋１２に排出する図示しない排出口を開閉し、配送樋１２に供給される遊技球の量を調整する供給装置１５２（図２参照）を制御するための基板である。この供給装置１５２は、上部タンク１５の底面に設置されている。
【００４４】
引出ローラブレーキ基板６７は、中央制御装置６０からの指示を受けて、引出ローラ５２にブレーキをかける引出ローラブレーキ５２０を制御するための基板である。
巻取ローラブレーキ基板６８は、中央制御装置６０からの指示を受けて、巻取ローラ５３にブレーキをかける巻取ローラブレーキ５３０を制御するための基板である。
４．リモコン
次に、リモコン９について説明する。
【００４５】
ここで、図５〜図８は、リモコン９の正面図である。
リモコン９は、図５に示すように、モニタ９０と、十字キー９１、決定ボタン９２、戻るボタン９３、送信ボタン９４とを備えている。そして、これらモニタ９０、十字キー９１及び各種ボタン９２〜９４は、リモコン９の筐体の正面に設置されている。
【００４６】
このリモコン９では、図示しない電源スイッチをＯＮすると、図５に示すように、揚送位置（従動プーリ５０，５１の間の位置）にある研磨ベルト５６の長さの設定を促す画像がモニタ９０に表示される。
【００４７】
図５では、研磨ベルト５６の長さとして、事前に入力した２７４０ｍｍが表示されているが、この数値は、十字キー９１の左右のボタンを押すことで、数値を変更する桁を選択し、十字キー９１の上下のボタンを押すことで、選択された桁の数値を選択することによって、変更することができる。そして決定ボタン９２を押下すると、そのときモニタ９０に表示された長さが、研磨ベルト５６の長さとして設定される。
【００４８】
次に、研磨ベルト５６の長さを設定するために決定ボタン９２が押下されると、図６に示すように、モニタ９０に研磨ベルト５６を巻き取る範囲の決定を促す画面が表示される。
【００４９】
図６では、研磨ベルト５６を巻き取る範囲として、半面、１面、２面と表示されているが、このうち、半面とは、揚送位置にある研磨ベルト５６のうち、長手方向の半分（１３７０ｍｍ）を意味し、一面とは、全部（２７４０ｍｍ）を意味し、２面とは、全体の２倍（５４８０ｍｍ）を意味する。
【００５０】
研磨ベルト５６を巻き取る範囲は、十字キー９１の左右のボタンを押すことで、選択された範囲が四角で囲われるので、十字キー９１を操作することによって変更することができる。そして決定ボタン９２を押下すると、そのときモニタ９０に表示された研磨ベルト５６を巻き取る範囲のうち、四角で囲われたものが、研磨ベルト５６の巻取範囲として設定される。
【００５１】
次に、研磨ベルト５６の巻取範囲を設定するために決定ボタン９２が押下されると、図７に示すように、研磨ベルト５６の巻き取りを開始する時間の設定を促す画面が表示される。
【００５２】
図７では、研磨ベルトの巻き取りを開始する時間として、事前に入力した１６時００分が表示されているが、この時刻は、十字キー９１の左右のボタンを押すことで、変更する時分の桁を選択し、十字キー９１の上下のボタンを押すことで、選択された桁の時分の数値を選択することによって、変更することができる。そして決定ボタン９２を押下すると、このときモニタ９０に表示された時間が、研磨ベルト５６の巻き取りを開始する時間として設定される。
【００５３】
次に、揚送装置３の巻き取りを開始する時間を設定するために決定ボタン９２が押下されると、図８に示すように、これまで設定を行った、研磨ベルト５６の長さ、研磨ベルト５６の巻き取り範囲、研磨ベルト５６の巻き取りを開始する時刻である制御開始条件の一覧を示す画像がモニタ９０に表示される。
【００５４】
このとき、送信ボタン９４を押下すると、これらモニタ９０に表示された情報がコントロールボックス６（図４参照）に向けて無線で送信される。
そして、コントロールボックス６では、リモコン９から受信した上記情報を中央制御装置６０が保持し、この情報に基づいて、後述する各種処理が実行される。
５．各種処理
次に、中央制御装置６０で実行される各種処理について説明する。
【００５５】
ここで図９は、メイン処理のフローチャート、図１０は、設定処理のフローチャート、図１１は、研磨ベルト自動巻取処理のフローチャート、図１２は動作制御処理のフローチャートである。
【００５６】
本実施形態の中央制御装置６０では、図９に示すように、図示しない電源スイッチがＯＮされると、メイン処理が実行され、まず設定処理（Ｓ１）が実行される。
そして、この設定処理（Ｓ１）が終了すると、研磨ベルト自動巻取処理（Ｓ３）が実行され、再び設定処理（Ｓ１）が実行され、その後、電源がＯＦＦされるまで、この設定処理（Ｓ１）及び研磨ベルト自動巻取処理（Ｓ３）が繰り返し実行される。
【００５７】
以下、このメイン処理の各処理（Ｓ１、Ｓ３）について詳細に説明する。
５．１．設定処理
設定処理（Ｓ１）が開始されると、図１０に示すように、まず、リモコン９で設定された各種情報を入力したか否かが判定される（Ｓ１０）。
【００５８】
この判定（Ｓ１０）で、リモコン９から情報の入力があったと判定されると（Ｓ１０：ＹＥＳ）、次に、Ｓ１１が実行され、リモコン９から情報の入力がないと判定されると、直ちにこの設定処理は終了される。
【００５９】
Ｓ１１では、研磨ベルト５６の巻き取りを行うことを示す自動巻取フラグを中央制御装置６０内（具体的には図示しないＲＡＭなど）に立てる処理が実行される。
続くＳ１２では、リモコン９から受信した研磨ベルト５６の長さに関する情報Ａに基づいて、その情報を研磨ベルト５６の長さとして設定する処理が実行される。ここでは、研磨ベルト５６の長さとして揚送装置の全長Ａ＝２７４０ｍｍが設定される。
【００６０】
次にＳ１３では、リモコン９から受信した研磨ベルト５６を巻き取る範囲を示す情報Ｂに基づいて、その情報を研磨ベルト５６を巻き取る範囲として設定する処理が実行される。ここでは、研磨ベルトの巻取率Ｂ＝１００％が設定される。
【００６１】
そして、Ｓ１４では、Ｓ１２及びＳ１３によって設定された研磨ベルト５６の長さＡと巻取率Ｂとから、研磨ベルト５６を巻き取る巻取量Ｃ（本発明の予定移動量）が算出される。ここでは、Ｃ＝Ａ×Ｂ＝２７４０ｍｍ×１００％＝２７４０ｍｍが算出される。
【００６２】
次に、Ｓ１５では、リモコン９から受信した研磨ベルト５６の巻き取りを開始する開始時間に関する情報Ｄに基づいて、その情報を研磨ベルト５６の巻き取りを開始する開始時間として設定する処理が実行される。ここでは、Ｄ＝１６：００が設定される。
【００６３】
そして、このＳ１５が終了すると、設定処理（Ｓ１）が終了してメイン処理に戻り、次に研磨ベルト自動巻取処理（Ｓ３）が実行される。
５．２．研磨ベルト自動巻取処理
次に、研磨ベルト自動巻取処理について説明する。
【００６４】
この研磨ベルト自動巻取処理（Ｓ３）が開始されるとまず、図１１に示すように、中央制御装置２０内に自動巻取制御フラグが立てられているか否かが判定される（Ｓ３０）。
この判定（Ｓ３０）でフラグが立っていないと判定されると（Ｓ３０：ＮＯ）、メイン処理に戻り、再び設定処理（Ｓ１）が実行される。
【００６５】
一方、この判定（Ｓ３０）でフラグが立っていると判定されると（Ｓ３０：ＹＥＳ）、Ｓ３１の処理が実行される。
Ｓ３１では、開始条件を満たしているか否かが判定される、具体的には、Ｓ１４で設定された研磨ベルト５６の巻き取りを開始する開始時間になったか否かが判定される。
【００６６】
この判定（Ｓ３１）で開始時間になっていないと判定されると（Ｓ３１：ＮＯ）、メイン処理に戻り、再び設定処理（Ｓ１）が実行される。
一方、この判定（Ｓ３１）で開始時間になっていると判定されると（Ｓ３１：ＹＥＳ）、動作制御処理（Ｓ５）が実行され、この動作制御処理（Ｓ５）が終了すると、メイン処理に戻って、設定処理（Ｓ１）が再び実行される。
５．３．動作制御処理
次に動作制御処理（Ｓ５）について説明する。
【００６７】
この動作制御処理（Ｓ５）が開始されると、図１２に示すように、第２センサ１５１を用いて、上部タンク１５内に貯留された揚送済みの遊技球の量が、第２貯留量よりも多いか否かが判定される（Ｓ５０）。
【００６８】
この判定（Ｓ５０）により、上部タンク１５内に貯留された遊技球の量が第２貯留量に達していないため第２センサ１５１が遊技球を検出せず、この検出による検出信号が入力されていないと判定されると（Ｓ５０：ＮＯ）、この動作制御処理（Ｓ５）は終了し、再びメイン処理に戻って設定処理（Ｓ１）が実行される。
【００６９】
一方、この判定（Ｓ５０）で、上部タンク１５内に貯留された遊技球の量が第２貯留量に達しているため、第２センサ１５１が遊技球を検出し、この検出による検出信号が入力されていると判定されると（Ｓ５０：ＹＥＳ）、Ｓ５１の処理が実行される。
【００７０】
Ｓ５１では、揚送装置３の揚送動作を停止する処理が実行される。具体的には、このＳ５１の処理が開始されるとまず、導入樋シャッターを閉じる処理を実行し、搬送装置３への遊技球の進入を停止させる。そして、既に揚送装置３内に進入している遊技球を全て揚送し終える所定時間だけ揚送ベルト４２を動作させた後、揚送ベルト４２を停止する処理が実行される。
【００７１】
本処理を実行することで、揚送装置３内に遊技球が無い状態を作り出すことができるため、研磨ベルト５６の巻き取り時において、巻き取られる研磨ベルト５６が遊技球と接触してしまうことによる研磨ベルトモータ５６０への負荷や、研磨ベルト５６のズレを防止することができる。
【００７２】
尚、本処理では、揚送装置３の揚送停止処理として、揚送ベルト４２を停止する処理まで行っているが、研磨ベルト５６の巻き取りに支障を来さない状態を作り出せばよく、例えば、揚送装置３への遊技球の進入を停止させるだけでもよい。
【００７３】
Ｓ５２では、研磨ベルト５６の巻き取りを開始する処理が実行される。具体的には、このＳ５２の処理が開始されるとまず、引出ローラ５２と巻取ローラ５３のブレーキ５２０，５３０が解除され、研磨ベルトモータ５６０が動作して研磨ベルト５６を巻き取る処理が開始される。
【００７４】
Ｓ５３では、Ｓ１３で設定された巻取量Ｃ分の研磨ベルト５６が巻き取られたか否かを判定する処理が実行される。この判定は、巻取ローラ５３の回転数を算出したり、従動プーリ５０，５１等の回転数を検出して算出したりするなど、どのような方法で行っても良い。
【００７５】
又、後述するＳ５６によって研磨ベルト巻取量Ｄ（本発明の既移動量）が記憶されている状態で本処理を実行する場合は、Ｓ１３で設定された巻取量Ｃ（Ｃ'）から、記憶されている研磨ベルト巻取量Ｄを差し引いた量を今回の巻取量Ｃ（本発明の残移動量）として処理が実行される。
【００７６】
この判定（Ｓ５３）により、研磨ベルト５６が巻取量Ｃ（Ｃ'）分だけ巻き取られていないと判定されると、Ｓ５４の処理が実行され、巻き取られていると判定されると、Ｓ５７の処理が実行される。
【００７７】
Ｓ５４では、上部タンク１５内に貯留された遊技球の量が第１貯留量未満になったか否かが判定される。
この判定（Ｓ５４）により、上部タンク１５内に貯留された遊技球の量が第１貯留量未満になったため第１センサ１５０が遊技球を検出せず、この検出による検出信号が入力されていないと（Ｓ５４：ＹＥＳ）、直ちにＳ５５の処理が実行される。
【００７８】
一方、この判定（Ｓ５４）で、上部タンク１５内に貯留された遊技球の量が第１貯留量に達しているため第１センサ１５０が遊技球を検出し、この検出により検出信号が入力されていると判定されると（Ｓ５４：ＮＯ）、再びＳ５３の処理が実行され、研磨ベルト５６が巻き取られたか否かが判定される。
【００７９】
Ｓ５５では、現時点における研磨ベルト５６の巻取量Ｄが算出される。この算出は、巻取ローラ５３や従動プーリ５０，５１等の回転数や回転時間に基づいて算出したり、研磨ベルト５６に予め被検出媒体（ＩＣタグや金属）を設けておき、検出媒体（ＩＣタグリーダや金属を検出するセンサ）によって研磨ベルト５６の巻取量を直接算出したりするなど、どのような方法であってもよい。
【００８０】
Ｓ５６では、Ｓ５５にて算出された研磨ベルト５６の巻取量Ｄを記憶する。
一方、Ｓ５３にて研磨ベルト５６が巻取量Ｃ（Ｃ'）分だけ巻き取られていると判定された場合に行われるＳ５７では、自動巻取フラグＦを消す処理を行う。
【００８１】
この処理を行うことで、研磨ベルト４６を予め設定された巻取量Ｃ分を巻き取り終えた後はＳ３０の判定でＮＯとなるため、不必要に動作制御処理Ｓ５が行われることがなくなる。
【００８２】
Ｓ５８では、Ｓ５６の処理によって記憶された研磨ベルト巻取量Ｄがクリアされると、Ｓ５９の処理が実行される。
Ｓ５９では、研磨ベルト５６の巻き取りを停止する処理が実行され、Ｓ６０では、揚送ベルト４２の動作が開始させた後、導入樋シャッターが開けられて、揚送装置３による揚送動作が開始され、再び、設定処理が実行される。
６．実施形態に係る遊技島システムの特徴
本実施形態の遊技島システムでは、上部タンク１５に貯留された遊技球の貯留量が、各遊技機での遊技に支障が生じない第２貯留量である場合にのみ研磨ベルト５６の巻き取りが行われるので、研磨ベルト５６の巻き取りによって、遊技機での遊技に支障をきたさせることがない。
【００８３】
本実施形態の遊技島システムでは、研磨ベルト５６の巻き取り途中に、上部タンク１５に貯留された遊技球の貯留量が、遊技機での遊技に支障をきたす恐れがある第１貯留量未満になった場合、研磨ベルト５６の巻き取りを停止しているので、遊技機での遊技に支障をきたさせることがない。
【００８４】
本実施形態の遊技島システムでは、リモコン９により研磨ベルト５６の巻取量を半分とすれば、所定時刻が到来するたびに研磨ベルト５６を半分ずつ巻き取ることができる。このようにすると、研磨ベルト５６を全量ずつ巻き取り場合に比べて、研磨ベルト５６の巻き取りのために割かなくてはいけなくなる時間が短かくてすむので、遊技機での遊技に支障をきたす恐れが、より一層減少する。また、研磨ベルト５６の巻き取りのために揚送しておかなくてはならない遊技球の量が少なくて済む。
【００８５】
本実施形態の遊技島システムでは、研磨ベルト５６を巻き取るとき、導入樋シャッターを閉じて、研磨ベルト５６に遊技球が達しないようにしているため、研磨ベルト５６の巻き取っている時に研磨ベルト５６と揚送ベルト４２との間に遊技球が挟まって、揚送装置３が故障することを防止することができる。
７．実施形態と発明特定事項との対応関係
図５において、Ｓ１３の処理が、移動量設定手段に相当する。
【００８６】
Ｓ５において、研磨ベルト５６の巻き取りが中止され（Ｓ５４：ＹＥＳ）、研磨ベルトの巻取量が算出されると（Ｓ５５）、再び研磨ベルト５６の巻き取りが再開される場合、Ｓ１２で予定されていた量から、Ｓ５５で算出された巻取量を差し引いた残量分の研磨ベルト５６を巻き取る制御がなされているが、この制御が研磨ベルト移動制御手段に相当する。
【００８７】
本実施形態の第１センサ１５０が本発明の検出手段に相当する。
本実施形態のＳ５４の処理が、本発明の中止手段に相当する。
本実施形態のＳ５０の処理が、本発明の開始不許可手段に相当する。
【００８８】
本実施形態のＳ５５の処理が、本発明の研磨ベルト移動量算出手段に相当する。
本実施形態のＳ５６と、再び研磨ベルト５６の巻き取りが再開され、Ｓ５３で残りの研磨ベルト５６の移動量を算出する処理が、本発明の残移動量設定手段に相当する。
（その他の実施形態）
本実施形態では、リモコン９で設定した時間に研磨ベルト５６の巻き取りを開始する構成について示したが、リモコン９あるいはコントロールボックス６に直接指示すると研磨ベルト５６の巻き取りを開始するように設定してもよい。
【００８９】
なお、本実施形態では研磨ベルト５６を揚送方向に巻き取る装置を説明したが、使用済みの研磨ベルト５６の一部を未使用の研磨ベルト５６に変更できるものであればよく、本実施形態とは逆方向に研磨ベルト５６を巻き取る装置であってもよい。また、使用済みの研磨ベルト５６の一部を未使用の研磨ベルト５６に変更するための動作も巻き取りに限るものではなく、例えば引っ張りや送りといった研磨ベルト５６を移動させることができるものであればよい。
【００９０】
また、本実施形態ではリモコン設定を１つしかできないものを示したが、複数の設定を行えるものでもよい。このようにすることで、例えば、１３：００に半面、１９時に半面といった遊技場の稼働に応じた研磨ベルト５６の巻き取りを詳細に設定することが出来るようになる。
【００９１】
また、本実施形態では、遊技機の稼働が良好なホールでは、何度も研磨ベルト５６の巻き取りが中止されることとなるが、このように、１回の研磨ベルト５６の巻き取りで研磨ベルト５６の全体（２７４０ｍｍ）を巻き取ることができないような場合であっても、１日をかけてズルズルと中断を繰り返しながら研磨ベルト５６を巻き取ることが可能となる。
【００９２】
そのため、研磨ベルト５６の全体、すなわち「１面」を巻き取ることはもちろん、遊技機の稼働が良好なホールでも、「２面」あるいは「３面」以上巻き取ることも可能である。
【００９３】
従って、上記実施形態では「２面」の巻き取りを可能としたが、「２面」ばかりでなく、「３面」や、それ以上の設定を可能としてもよいことはもちろんである。
また、本発明は、特許請求の範囲に記載された発明の趣旨に合致するものであればよく、上述の実施形態に限定されるものではない。
【符号の説明】
【００９４】
１…遊技島、
１ａ…設置スペース、１０…回収装置、１１…回収樋、１２…配送樋、１３…分岐装置、１４…配送管、１５…上部タンク、１６…下部タンク、１７…導入樋、
３…揚送装置、
３０…排出口、
４…揚送部、
４０…駆動プーリ、４１…従動プーリ、４２…揚送ベルト、
５…研磨部、
５０…従動プーリ、５１…従動プーリ、５２…引出ローラ、５３…巻取ローラ、５４…テンションローラ、５５…テンションローラ、５６…研磨ベルト、
６…コントロールボックス、
６０…中央制御装置、６１…揚送ベルト基板、６２…研磨ベルト基板、６３…導入樋シャッター基板、６４…リモコン用インターフェイス、６５…センサインタフェイス、６６…供給装置基板、６７…引出ローラブレーキ基板、６８…巻取ローラブレーキ基板、
１５０…第１センサ、１５１…第２センサ、１５２…供給装置、１７０…シャッターモータ、４２０…揚送ベルトモータ、５２０…引出ローラブレーキ、５３０…巻取ローラブレーキ、５６０…研磨ベルトモータ
９…リモコン、
９０…モニタ、９１…十字キー、９２…決定ボタン、９３…戻るボタン、９４…送信ボタン、
【図１】
0005585355.tif 000002
【図２】
0005585355.tif 000003
【図３】
0005585355.tif 000004
【図４】
0005585355.tif 000005
【図５】
0005585355.tif 000006
【図６】
0005585355.tif 000007
【図７】
0005585355.tif 000008
【図８】
0005585355.tif 000009
【図９】
0005585355.tif 000010
【図１０】
0005585355.tif 000011
【図１１】
0005585355.tif 000012
【図１２】
0005585355.tif 000013